(57)【要約】      （修正有）【課題】弦楽器が発する本来の楽音を忠実に再現する。【解決手段】マイク装置４０は、弦楽器１０のボディ１２の内部空間に所定の間隔をあけて配置された一対のコンデンサマイク４２Ａ、４２Ｂと、ボディ１２のサウンドホール３６が形成される方向から入射する音波に対する一対のコンデンサマイク４２Ａ、４２Ｂの出力信号が互いに打ち消されるように信号処理を行う信号処理部とを備える。マイク装置４０により形成される無感度面Ｐはサウンドホール３６を通過するように構成される。すなわち、マイク装置４０は、サウンドホール３６が形成される方向に対して感度を有しないので、ハウリングを起こすことなく、ボディ１２の内部空間で共鳴する楽音を集音することが可能となり、弦楽器１０が発する本来の楽音を忠実に再現することができる。【選択図】図４
2014095824.tif 000002
【特許請求の範囲】
【請求項１】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを備える弦楽器に適用される集音装置であって、
前記弦の振動により前記ボディの内部空間で共鳴する楽音を集音し、当該楽音に基づく楽音信号を生成して出力する楽音検出手段を備え、
前記楽音検出手段は、前記サウンドホールが形成される方向に対して感度を有しないことを特徴とする集音装置。
【請求項２】
前記楽音検出手段は、
前記ボディの内部空間に所定の間隔をあけて配置された一対の集音手段と、
前記サウンドホールが形成される方向から入射する音波に対する前記一対の集音手段の出力信号が互いに打ち消されるように信号処理を行う信号処理手段と、
を備えることを特徴とする請求項１に記載の集音装置。
【請求項３】
前記一対の集音手段は、前記サウンドホールが形成される方向から入射する音波を同位相でとらえる一対の無指向性マイクロホンからなり、
前記信号処理手段は、前記一対の無指向性マイクロホンの出力信号を相互に減算する減算手段を有することを特徴とする請求項２に記載の集音装置。
【請求項４】
前記一対の集音手段は、前記サウンドホールが形成される方向から入射する音波を逆位相でとらえる一対の無指向性マイクロホンからなり、
前記信号処理手段は、前記一対の無指向性マイクロホンの出力信号を相互に加算する加算手段を有することを特徴とする請求項２に記載の集音装置。
【請求項５】
前記楽音検出手段は、前記サウンドホールが形成される方向に対して直交する方向に指向軸を有する双指向性マイクを備えることを特徴とする請求項１に記載の集音装置。
【請求項６】
中空状に形成されたボディと、
前記ボディに形成されたサウンドホールと、
前記ボディに一端が取り付けられたネックと、
前記ネックの他端に取り付けられたヘッドと、
前記ヘッド及び前記ボディの間に張架された弦と、
請求項１〜５のいずれか１項に記載の集音装置と、
を備えることを特徴とする弦楽器。
【発明の詳細な説明】
【技術分野】
【０００１】
本発明は、弦楽器が発する本来の楽音を忠実に再現することができる集音装置及び弦楽器に関するものである。
【背景技術】
【０００２】
一般に、アコースティックギターなどの弦楽器では、演奏時の音量が限られる。そこで、例えばコンサートホールのような広い場所で演奏する際には、楽器演奏者の近傍にマイクを配置し、弦楽器の楽音をマイクで集音して増幅することが考えられる。しかし、マイクで弦楽器の楽音を集音すると、ハウリングが発生しやすいという問題がある。また、マイクの位置がステージ上に固定されていると、演奏者がステージ上で動き回りながら演奏する場合には弦楽器の楽音をとらえることができない問題もある。
【０００３】
一方、弦楽器の胴（共鳴胴）を構成する共鳴板にピエゾピックアップ（圧電ピックアップ）を取り付け、ピエゾピックアップにより弦振動を電気信号に変換し、この電気信号を増幅することで音量を大きくする方法が知られている。しかし、ピエゾピックアップを用いた方法では、箱鳴りと呼ばれる胴による共鳴音を十分に拾うことができず、出力される音は薄っぺらで無機質な音になってしまうという問題がある。
【０００４】
かかる問題に対し、弦楽器の胴による共鳴音を再現できるようにすべく、ピエゾピックアップを用いて得られる電気信号に対して各種効果を付加する技術が提案されている（例えば、特許文献１〜３参照）。
【先行技術文献】
【特許文献】
【０００５】
【特許文献１】特開２００３−１５６４４号公報
【特許文献２】特開２００５−２４９９７号公報
【特許文献３】特開２００９−１６２９９７号公報
【発明の概要】
【発明が解決しようとする課題】
【０００６】
しかしながら、特許文献１〜３に開示される技術では、ピエゾピックアップにより検出される弦の振動をある程度自然な音に加工することができるものの、胴の共鳴音を忠実に再現することはできない。また、ピエゾピックアップを用いて弦の振動を検出するためには、弦楽器のもっとも重要な部分に対してピエゾピックアップを取り付けなればならず、楽器本来の音色に悪影響を与えかねない。
【０００７】
本発明は、このような事情に鑑みてなされたもので、弦楽器が発する本来の楽音を忠実に再現することができる集音装置及び弦楽器を提供することを目的とする。
【課題を解決するための手段】
【０００８】
前記目的を達成するために、本発明の集音装置は、中空状に形成されたボディと、ボディに形成されたサウンドホールと、ボディに一端が取り付けられたネックと、ネックの他端に取り付けられたヘッドと、ヘッド及びボディの間に張架された弦とを備える弦楽器に適用される集音装置であって、弦の振動によりボディの内部空間で共鳴する楽音を集音し、当該楽音に基づく楽音信号を生成して出力する楽音検出手段を備え、楽音検出手段は、サウンドホールが形成される方向に対して感度を有しないことを特徴とする。
【０００９】
本発明の好ましい態様は、楽音検出手段は、ボディの内部空間に所定の間隔をあけて配置された一対の集音手段と、サウンドホールが形成される方向から入射する音波に対する一対の集音手段の出力信号が互いに打ち消されるように信号処理を行う信号処理手段と、を備える。
【００１０】
また、本発明の好ましい態様は、一対の集音手段は、サウンドホールが形成される方向から入射する音波を同位相でとらえる一対の無指向性マイクロホンからなり、信号処理手段は、一対の無指向性マイクロホンの出力信号を相互に減算する減算手段を有する。
【００１１】
また、本発明の好ましい態様は、一対の集音手段は、サウンドホールが形成される方向から入射する音波を逆位相でとらえる一対の無指向性マイクロホンからなり、信号処理手段は、一対の無指向性マイクロホンの出力信号を相互に加算する加算手段を有する。
【００１２】
また、本発明の好ましい態様は、集音手段は、サウンドホールが形成される方向に対して直交する方向に指向軸を有する双指向性マイクを備える。
【００１３】
また、前記目的を達成するために、本発明の弦楽器は、中空状に形成されたボディと、ボディに形成されたサウンドホールと、ボディに一端が取り付けられたネックと、ネックの他端に取り付けられたヘッドと、ヘッド及び前記ボディの間に張架された弦と、本発明の集音装置と、を備えることを特徴とする。
【発明の効果】
【００１４】
本発明によれば、サウンドホールが形成される方向に対して感度を有しないので、ハウリングを起こすことなく、ボディの内部空間で共鳴する楽音を集音することが可能となり、弦楽器が発する本来の楽音を忠実に再現することができる。
【図面の簡単な説明】
【００１５】
【図１】本発明の集音装置が適用される弦楽器の構成例を示した外観図
【図２】図１に示した弦楽器の平面図
【図３】マイク装置の構成例を示した概略図
【図４】弦楽器と無感度面との位置関係を立体的に示した図
【図５】無感度面とマイク装置及びサウンドホールとの位置関係を平面的に示した図
【図６】各コンデンサマイクの出力信号波形の一例を示した図
【図７】信号処理部の構成例を示したブロック図
【図８】信号処理部の他の構成例を示したブロック図
【図９】弦楽器の他の構成例を示した外観図
【図１０】他の発明が適用された弦楽器の構成例を示した外観図
【発明を実施するための形態】
【００１６】
以下、添付図面に従って本発明の好ましい実施の形態について詳説する。
【００１７】
図１は、本発明の集音装置が適用される弦楽器の構成例を示した外観図である。図２は、図１に示した弦楽器の平面図である。
【００１８】
図１及び図２に示すように、弦楽器（アコースティックギター）１０は、表板２０、側板２２、及び裏板２４によって中空状に形成されたボディ（共鳴胴）１２と、ボディ１２に連結されたネック１４とを備えて構成される。ネック１４の先端には、弦１８の先端側（始端）を巻き付けて弦１８の張力を調節可能なペグ（糸巻）２６が複数個取り付けられたヘッド１６が設けられている。ボディ１２を構成する表板２０は共鳴板として機能するものである。表板２０には、弦１８の後端を固定するためのブリッジ２８が取り付けられており、弦１８の後端はブリッジ２８に開けられた穴（不図示）に固定されている。
【００１９】
ネック１４には、金属製のフレット３０が特定の間隔で埋め込まれた指板３２が取り付けられている。指板３２の先端には、複数の弦１８を所定の間隔に揃え、かつ、フレット３０の上面より僅かに弦１８を浮かせて支持するための溝が設けられたナット（上駒）３４が固定されている。ブリッジ２８には、弦１８の後端（終端）近くで、弦１８をフレット３０の上面より僅かに浮かせて支持するためのサドル（下駒）３５が固定されている。なお、楽器の種類によってはフレット３０が存在しないものもある。
【００２０】
弦１８は、ナット３４とサドル３５の間、もしくは、指板３２上のフレット３０とサドル３５の間で振動する。また、指板３２上の所定の場所で弦１８を押さえることで、フレット３０とサドル３５の間の弦長が調節され、所定の音程を得ることができる。弦１８に振動を付与する態様としては、弦１８の押さえた指とサドル３５間の所定の位置で指を弾く態様や、弓などで擦ることで振動のきっかけを与える態様がある。
【００２１】
表板２０のブリッジ２８の前方における各弦１８の下方には、ボディ１２内部で共鳴した音を外部に導くためのサウンドホール（響穴）３６が設けられている。表板２０と裏板２４のボディ１２内部側の面には、それぞれ補強のためのブレイス（力木、響木）３８Ａ、３８Ｂが取り付けられている。なお、ブレイスの形状や配置については楽器の種類によって様々である。
【００２２】
以上の構成において、弦楽器１０の演奏を行うべく弦１８に振動を与えると、弦１８の振動がサドル３５、ブリッジ２８を介して表板２０に伝達され、それによってボディ１２の内部空間において共鳴が発生し、サウンドホール３６から楽音を発する。
【００２３】
本実施形態では、ボディ１２の内部にはマイク装置４０が設けられている。マイク装置４０は、図３に示すように、ボディ１２の内部で共鳴する音を集音する一対の集音手段としてコンデンサマイク４２Ａ、４２Ｂと、各コンデンサマイク４２Ａ、４２Ｂの出力信号の出力部（端子部）として機能するコネクタ４４とが一体的に構成されたものである。
【００２４】
マイク装置４０は、ボディ１２の所定位置に設けられた取付部（不図示）に取り付けられる。各コンデンサマイク４２Ａ、４２Ｂの出力信号はコネクタ４４を通して、弦楽器１０の外部に導出される。弦楽器１０の外部に導出された出力信号は、不図示のケーブル（不図示）を介して信号処理部４６（図７及び図８参照）に送られ、所定の信号処理が施される。信号処理部４６では、各コンデンサマイク４２Ａ、４２Ｂの出力信号に基づく楽音信号が生成され出力される。
【００２５】
このように各コンデンサマイク４２Ａ、４２Ｂの出力信号を、各コンデンサマイク４２Ａ、４２Ｂと一体的に構成されたコネクタ４４を通して弦楽器１０の外部に導出する態様によれば、ボディ１２の内部を通る配線（信号線）が不要となり、ボディ１２の内部における不要な振動による雑音を効果的に抑制することが可能となる。
【００２６】
マイク装置４０は、図１及び図２に示すように、ボディ１２内部のエンド部１２ａ（ネック１４側とは反対側の端部）に取り付けられることが好ましい。また、マイク装置４０は、ボディ１２内部のヒール部１２ｂ（ネック１４側の端部）に取り付けてもよい。エンド部１２ａやヒール部１２ｂは、弦楽器１０のボディ１２の構造上もっとも強度の高い場所であり、マイク装置４０を安定的に固定することができる。また、サウンドホール３６とマイク装置４０との間の距離を確保できるので、マイク装置４０によるボディ１２内部の共鳴音の集音効率を向上させることができる。
【００２７】
各コンデンサマイク４２Ａ、４２Ｂは、構造及び特性が互いに等しく構成されたもので、音波によって振動するダイアフラム（振動板）とバックプレート（背極、固定電極）を対向配置させたコンデンサ部を構成し、ダイアフラムが振動することによって生じるコンデンサ部の静電容量の変化を電気信号に変換して出力する。また、各コンデンサマイク４２Ａ、４２Ｂは、全ての方向に指向性を有する無指向性マイクが用いられる。なお、各コンデンサマイク４２Ａ、４２Ｂの構成は周知の構成が適用されるので、詳細な説明は省略する。
【００２８】
図４は、弦楽器１０と無感度面Ｐとの位置関係を立体的に示した図である。図５は、無感度面Ｐとマイク装置４０及びサウンドホール３６の位置関係を平面的に示した図である。
【００２９】
本実施形態では、図４及び図５に示すように、各コンデンサマイク４２Ａ、４２Ｂは、サウンドホール３６が形成される面（すなわち、表板２０）に平行な方向に沿って所定の間隔をあけて並べて配置され、各コンデンサマイク４２Ａ、４２Ｂから等距離の位置に無感度面Ｐが形成される。この無感度面Ｐは、表板２０に対して垂直であり、サウンドホール３６（好ましくは、サウンドホール３６の中心）を通過するように構成される。すなわち、各コンデンサマイク４２Ａ、４２Ｂは、サウンドホール３６から等距離の位置に配置される。無感度面Ｐ上の任意の点から放射された音波は、各コンデンサマイク４２Ａ、４２Ｂに等しい音圧、等しい位相で到達するため、各コンデンサマイク４２Ａ、４２Ｂの出力信号が打ち消されるように相互に減算することにより出力が０となる。これに対し、それ以外の場所から到達した音波は、距離差によって音圧や位相が異なるため出力が現れる。
【００３０】
ここで、各コンデンサマイク４２Ａ、４２Ｂの配置について詳しく説明する。まず、サウンドホール３６の中心を通り、サウンドホール３６が形成される面（すなわち、表板２０）に対して垂直な面を基準面（無感度面Ｐに相当）としたとき、各コンデンサマイク４２Ａ、４２Ｂは基準面の両側の等距離の位置に対向配置される。このとき、各コンデンサマイク４２Ａ、４２Ｂのダイアフラムは基準面に対して平行に配置され、かつ、各コンデンサマイク４２Ａ、４２Ｂは同一面が互いに対面する方向に向けて配置される。本実施形態では、図３に示すように、ダイアフラムが形成される面側が互いに対面する方向に向けて配置される。なお、図３のコンデンサマイク４２Ａ、４２Ｂの内部に示した矢印は、ダイアフラムが形成される面側の向きを表している。また、これとは逆に、ダイアフラムが形成される面とは反対側のバックプレートが形成される面側が互いに対面する方向に向けて配置されてもよい。このように各コンデンサマイク４２Ａ、４２Ｂの同一面が互いに対面する方向に向けて配置することによって、各コンデンサマイク４２Ａ、４２Ｂによってサウンドホール３６から到達する音波を同位相でとらえることが可能となる。
【００３１】
なお、各コンデンサマイク４２Ａ、４２Ｂによってサウンドホール３６から到達する音波を同位相でとらえるための構成としては、上記構成に限らず、各コンデンサマイク４２Ａ、４２Ｂのダイアフラムが基準面に対して垂直に配置されてもよい。この場合には、各コンデンサマイク４２Ａ、４２Ｂは、ダイアフラムが形成される面側を互いにサウンドホール３６側に向けて配置するか、或いは、バックプレートが形成される面側を互いにサウンドホール３６側に向けて配置すればよい。
【００３２】
図６は、各コンデンサマイク４２Ａ、４２Ｂの出力信号波形の一例を示した図である。外部からの音波がサウンドホール３６から入射すると、各コンデンサマイク４２Ａ、４２Ｂのダイアフラムは同一方向に変位し同位相で振動する。このため、各コンデンサマイク４２Ａ、４２Ｂの出力信号波形は、図６（ａ）、（ｂ）に示すように互いに同位相になる。したがって、各コンデンサマイク４２Ａ、４２Ｂの出力信号を相互に減算すれば、図６（ｃ）に示すように、各コンデンサマイク４２Ａ、４２Ｂの出力信号が打ち消された出力（マイク装置４０の出力）が得られる。すなわち、サウンドホール３６が形成される方向から入射する音波に対して無感度となる指向性を得ることができる。
【００３３】
図７は、信号処理部４６の構成例を示したブロック図である。図７に示した構成では、各コンデンサマイク４２Ａ、４２Ｂの出力信号は減算器５０で相互に減算される。減算器５０の出力信号はプリアンプ５２で増幅された後、マイク装置４０の出力信号（楽音信号）として外部音響拡声装置５４に出力される。
【００３４】
図８は、信号処理部４６の他の構成例を示したブロック図である。図８に示した構成は、図７に示した構成と等価な回路であり、実質的に同様の処理が行われる。具体的には、コンデンサマイク４２Ｂの出力信号は反転器５６で波形が反転される。コンデンサマイク４２Ａの出力信号と反転器５６の出力信号が加算器５８で相互に加算される。加算器５８の出力信号はプリアンプ５２で増幅された後、マイク装置４０の出力信号（楽音信号）として外部音響拡声装置５４に出力される。
【００３５】
本実施形態によれば、サウンドホール３６（好ましくは、サウンドホール３６の中心部）を通過するように無感度面Ｐが形成されるので（図４及び図５参照）、サウンドホール３６が形成される方向から入射する音波に対して無感度となる指向性を得ることができる。これにより、ハウリングの原因となるサウンドホール３６からボディ１２内に入り込む外部音についてはキャンセルされるので、ハウリングを起こすことなくボディ１２の内部で共鳴する楽音を集音することが可能となり、弦楽器１０が発する本来の楽音を忠実に再現することができる。
【００３６】
以上、本発明の実施形態について説明したが、本発明は、以上の例には限定されず、本発明の要旨を逸脱しない範囲において、各種の改良や変形を行ってもよいのはもちろんである。以下、いくつかの変形例について説明する。
【００３７】
［変形例１］
上述した実施形態では、信号処理部４６は、マイク装置４０とは別に構成され、ボディ１２の外部に配置される構成としたが、マイク装置４０に信号処理部４６が内蔵された構成としてもよい。この場合、信号処理部４６を内蔵するマイク装置４０がボディ１２の内部に配置される。
【００３８】
また、信号処理部４６がマイク装置４０とは別に構成される場合、信号処理部４６がボディ１２の内部に配置されてもよいことはいうまでもない。
【００３９】
［変形例２］
上述した実施形態では、各コンデンサマイク４２Ａ、４２Ｂによってサウンドホール３６から到達する音波を同位相でとらえるように構成したが、サウンドホール３６から到達する音波を逆位相でとらえるように構成してもよい。
【００４０】
具体的には、各コンデンサマイク４２Ａ、４２Ｂのダイアフラムが基準面（無感度面Ｐに相当）に対して平行に配置される場合には、各コンデンサマイク４２Ａ、４２Ｂのうち、一方のコンデンサマイクのダイアフラムが形成される面側と他方のコンデンサマイクのバックプレートが形成される面側が互いに対面する方向に向けて配置すればよい。また、各コンデンサマイク４２Ａ、４２Ｂのダイアフラムが基準面に対して垂直に配置される場合には、各コンデンサマイク４２Ａ、４２Ｂのうち、一方のコンデンサマイクのダイアフラムが形成される面側と他方のコンデンサマイクのバックプレートが形成される面側をそれぞれサウンドホール３６側に向ければよい。
【００４１】
このようにサウンドホール３６から到達する音波を逆位相でとらえる構成の場合には、各コンデンサマイク４２Ａ、４２Ｂの出力信号を相互に加算することにより、サウンドホール３６が形成される方向から入射する音波に対して無感度となる指向性を得ることができる。これによって、上述した実施形態と同様の効果を得ることができる。
【００４２】
［変形例３］
上述した実施形態では、ボディ１２の内部空間に一対の無指向性マイクを配置した構成を示したが、例えば１つの双指向性マイクを配置した構成とすることも可能である。この場合、双指向性マイクを基準面（無感度面Ｐに相当）上に配置し、指向軸が基準面と直交するように配置する。すなわち、双指向性マイクの指向軸をサウンドホール３６が形成される方向に対して直交するように配置する。これにより、サウンドホール３６が形成される方向から入射する音波に対して無感度となる指向性を得ることができる。これによって、上述した実施形態と同様の効果を得ることができる。
【００４３】
［変形例４］
上述した実施形態では、ボディ１２の表板２０にサウンドホール３６が設けられた弦楽器１０に対する適用例について説明したが、弦楽器の種類によっては、例えば図９に示すように、サウンドホール３６が、ボディ１２の表板２０ではなく側板２２に設けられているものもある。このような構成を有する弦楽器１０においても、無感度面Ｐがサウンドホール３６（好ましくは、サウンドホール３６の中心部）を通過するように各コンデンサマイク４２Ａ、４２Ｂを配置することによって、サウンドホール３６から到達する音波に対してのみ無感度となる指向性を得ることができる。
【００４４】
なお、上述した変形例３のように、図９に示した無感度面Ｐは、一対の無指向性マイクに限らず、１つの双指向性マイクによって形成可能であることはいうまでもない。
【００４５】
［変形例５］
上述した実施形態では、アコースティックギターについての本発明の適用例を説明したが、例えば、クラシックギター、ウクレレなどのサウンドホールが１つの弦楽器に本発明を好ましく適用することが可能である。また、サウンドホールが複数あっても近接しているか、無感度面上に複数のサウンドホールを配置可能な弦楽器にも本発明を適用することができる。
【００４６】
＜他の発明＞
次に、他の発明について説明する。図１０は、他の発明が適用された弦楽器の構成例を示した外観図である。図１０中、図１と共通又は類似する部材には同一の番号を付して、その説明を省略する。
【００４７】
図１０に示すように、本実施形態では、ボディ１２の内部には筒状遮音板６０が取り付けられている。筒状遮音板６０は、サウンドホール３６の内径よりもやや大きな内径を有し、ボディ１２の内部においてサウンドホール３６の周りを取り囲むように構成され、ボディ１２の内部に配置されるマイク装置４０を外部音から隔離する。このようにマイク装置４０に外部音が直接届かないように構成することで、マイク装置４０として無指向性マイクを単体で使用することが可能となる。
【００４８】
本実施形態によれば、サウンドホール３６からマイク装置４０に至る外部音の入射経路の途中に筒状遮音板６０が設けられるので、サウンドホール３６から入射する外部音がマイク装置４０に直接到達せず、筒状遮音板６０で反射を何回か繰り返して十分に減衰した後にマイク装置４０に到達するので、ハウリングの影響を抑えることが可能となる。
【００４９】
本実施形態では、筒状遮音板６０の内側、すなわち外部音の入力側に吸音材が貼付されていることが好ましい。この態様によれば、吸音材によって外部音が吸収されるので、ハウリングの影響をより効果的に抑えることが可能となる。
【００５０】
また、本実施形態では、ボディ１２の内部に筒状遮音板６０を取り付けた構成を示したが、ボディ１２の内部にサウンドホール３６とマイク装置４０との間を隔離する遮音部材が設けられていればよく、その形状は筒状に限定されるものではない。例えば、板状や湾曲状、或いは、複数折り曲げられた蛇腹状など各種形状の遮音板を取り付けてもよい。
【００５１】
なお、他の発明が適用することが可能な弦楽器としては、アコースティックギター、クラシックギター、ウクレレはもちろんのこと、バイオリン、マンドリン、チェロ、ビオラ、コントラバスなどのサウンドホールが複数ある弦楽器にも適用することができる。
【符号の説明】
【００５２】
１０…弦楽器、１２…ボディ、１４…ネック、１６…ヘッド、１８…弦、２０…表板、３６…サウンドホール、４０…マイク装置、４２Ａ、４２Ｂ…コンデンサマイク、４６…信号処理部、５０…減算器、５２…プリアンプ、５４…外部音響装置、５６…反転器、５８…加算器、６０…筒状遮蔽板
【図１】
2014095824.tif 000003
【図２】
2014095824.tif 000004
【図３】
2014095824.tif 000005
【図４】
2014095824.tif 000006
【図５】
2014095824.tif 000007
【図６】
2014095824.tif 000008
【図７】
2014095824.tif 000009
【図８】
2014095824.tif 000010
【図９】
2014095824.tif 000011
【図１０】
2014095824.tif 000012